(57)【特許請求の範囲】
【請求項１】
基板と、
前記基板に搭載され、コアの外周部にボビンを介して一次巻線および二次巻線を巻装してなる昇圧トランスと、
前記昇圧トランスから駆動電源が供給されるマグネトロンとを備え、
前記昇圧トランスは、第１のリード線および第２のリード線からなるヒータ巻線を有し、
前記第１のリード線は、前記昇圧トランスのコアの磁路を貫通し、
前記第１のリード線の一端部および前記第２のリード線の一端部は、前記基板を介して相手側に電気的に接続され、
前記第１のリード線の他端部および前記第２のリード線の他端部は、前記マグネトロンのヒータに電気的に接続されていることを特徴とする電子レンジ。
【請求項２】
昇圧トランスのボビンには、第１のリード線および第２のリード線を保持する第１のリード線保持部および第２のリード線保持部が設けられていることを特徴とする請求項１記載の電子レンジ。
【請求項３】
昇圧トランスのボビンには、第１のリード線の一端部および第２のリード線の一端部を位置決めする第１の位置決め部および第２の位置決め部が設けられていることを特徴とする請求項１記載の電子レンジ。
【請求項４】
昇圧トランスのボビンには、第１のリード線の一端部および第２のリード線の一端部のうち芯線が挿入される貫通孔を有する第１の位置決め部および第２の位置決め部が設けられていることを特徴とする請求項１記載の電子レンジ。
【請求項５】
第１のリード線は、昇圧トランスのコアとボビンとの間で保持されていることを特徴とする請求項１記載の電子レンジ。
【請求項６】
基板には、第１のリード線の一端部および第２のリード線の一端部が挿入される貫通孔が設けられていることを特徴とする請求項１記載の電子レンジ。
【請求項７】
貫通孔の内周面にははとめが装着され、
第１のリード線の一端部および第２のリード線の一端部は、はとめ内に半田を充填することに基づいて相手側に電気的に接続されていることを特徴とする請求項６記載の電子レンジ。
【発明の詳細な説明】
【０００１】
【発明の属する技術分野】
本発明は、基板に昇圧トランスが搭載された電子レンジに関する。
【０００２】
【発明が解決しようとする課題】
上記電子レンジには、図１１に示すように、昇圧トランスのボビン１０１に一次巻線１０２および二次巻線１０３を巻装した構成のものがある。この構成の場合、二次巻線１０３の隣りに巻装部１０４を設け、巻装部１０４にヒータ巻線１０５を巻装していたので、ボビン１０１の幅寸法Ｗが大きく、昇圧トランスが大形化される傾向にあった。
【０００３】
本発明は上記事情に鑑みてなされたものであり、その目的は、昇圧トランスを小形化できる電子レンジを提供することにある。
【０００４】
【課題を解決するための手段】
請求項１記載の電子レンジは、基板と、前記基板に搭載されコアの外周部にボビンを介して一次巻線および二次巻線を巻装してなる昇圧トランスと、前記昇圧トランスから駆動電源が供給されるマグネトロンとを備え、前記昇圧トランスは第１のリード線および第２のリード線からなるヒータ巻線を有し、前記第１のリード線は前記昇圧トランスのコアの磁路を貫通し、前記第１のリード線の一端部および前記第２のリード線の一端部は前記基板を介して相手側に電気的に接続され、前記第１のリード線の他端部および前記第２のリード線の他端部は前記マグネトロンのヒータに電気的に接続されているところに特徴を有する。
上記手段によれば、昇圧トランスのヒータ巻線が第１のリード線および第２のリード線から構成されているので、ボビンにヒータ巻線用の巻装部を形成する必要がなくなる。このため、ボビンが小さくて済むので、昇圧トランスが小形化される。
【０００５】
請求項２記載の電子レンジは、第１のリード線および第２のリード線を保持する第１のリード線保持部および第２のリード線保持部が昇圧トランスのボビンに設けられているところに特徴を有する。
上記手段によれば、第１のリード線および第２のリード線をボビンと共に取り扱うことができるので、第１のリード線および第２のリード線の取扱いが容易になる。
【０００６】
請求項３記載の電子レンジは、第１のリード線の一端部および第２のリード線の一端部を位置決めする第１の位置決め部および第２の位置決め部が昇圧トランスのボビンに設けられているところに特徴を有する。
上記手段によれば、第１のリード線の一端部および第２のリード線の一端部を昇圧トランスと共に基板の設定位置にセットできるので、第１のリード線の一端部および第２のリード線の一端部を独自に位置決めする手間が不要になる。
【０００７】
請求項４記載の電子レンジは、第１のリード線の一端部および第２のリード線の一端部のうち芯線が挿入される貫通孔を有する第１の位置決め部および第２の位置決め部が昇圧トランスのボビンに設けられているところに特徴を有する。
上記手段によれば、第１のリード線の一端部および第２のリード線の一端部のうち芯線を昇圧トランスと共に基板の設定位置に確実にセットできる。
【０００８】
請求項５記載の電子レンジは、第１のリード線が昇圧トランスのコアとボビンとの間で保持されているところに特徴を有する。
上記手段によれば、ボビンに第１のリード線を保持する専用のリード線保持部を設ける必要がなくなるので、ボビンの形状が簡単で済む。
【０００９】
請求項６記載の電子レンジは、第１のリード線の一端部および第２のリード線の一端部が挿入される貫通孔が基板に設けられているところに特徴を有する。
上記手段によれば、基板に第１のリード線が挿入される貫通孔および第２のリード線が挿入される貫通孔を個別に設ける必要がなくなる。
【００１０】
請求項７記載の電子レンジは、貫通孔の内周面にはとめが装着され、第１のリード線の一端部および第２のリード線の一端部がはとめ内に半田を充填することに基づいて相手側に電気的に接続されているところに特徴を有する。
上記手段によれば、第１のリード線の一端部および第２のリード線の一端部が相手側に確実に接続される。しかも、はとめが１個で済むので、はとめの材料費および組付費用が少なくて済む。
【００１１】
【発明の実施の形態】
以下、本発明の第１実施例を図１ないし図８に基づいて説明する。まず、図２において、キャビネット１は前面が開口する箱状をなすものであり、キャビネット１の内部には内箱２が配設されている。この内箱２は前面が開口する箱状をなすものであり、内箱２の内部は調理室３として機能する。また、キャビネット１の前端部には扉４が下辺部を中心に回動可能に装着されており、調理室３の前面は扉４の回動操作に基づいて開閉される。尚、キャビネット１および内箱２は鋼板を組合わせることに基づいて形成されたものである。
【００１２】
キャビネット１の内部には内箱２の右側部に位置して機械室５が形成されている。この機械室５の前方には操作パネル６が配設されており、機械室５の前面は操作パネル６により塞がれている。この操作パネル６はキャビネット１の前端部に固定されたものであり、操作パネル６の前面には調理時間設定キー，調理メニューキー，スタートキー，とりけしキー（いずれも図示せず）等が装着されている。
【００１３】
機械室５内の底部には基板７が水平に配設されている。この基板７は左右方向の幅寸法が小さく前後方向の幅寸法が大きな長方形状をなすものであり、基板７の後端部には昇圧トランス８が搭載されている。以下、昇圧トランス８の詳細構成について説明する。
【００１４】
＜昇圧トランス８のボビン９について＞
胴部１０は、図３の（ｂ）に示すように、左右方向へ延びる円筒状をなすものであり、難燃性の合成樹脂を材料に形成されている。この胴部１０の両端部には端板１１および端板１２が一体形成されており、一方の端板１１には、図３の（ａ）に示すように、前端部に位置して円筒状のボス部１３が一体形成され、他方の端板１２には、図３の（ｃ）に示すように、後端部に位置して円筒状のボス部１４が一体形成されている。これらボス部１３および１４の内周面には、図３の（ｂ）に示すように、下方から基板７を通してねじ１５が締め込まれており、ボビン９は２本のねじ１５により基板７の上面に固定されている。
【００１５】
胴部１０には左右方向中央部に位置して大鍔部１６が一体形成され、大鍔部１６と端板１１との間に位置して小鍔部１７および１８が一体形成されている。前者の大鍔部１６は後者の小鍔部１７および１８に比べて厚肉で且つ径大なものであり、胴部１０の外周面には大鍔部１６と端板１２との間に位置して一次巻線１９が巻装されている。
【００１６】
端板１２の下端部には、図３の（ｃ）に示すように、前後方向に離間する２組の爪２０が一体形成されており、各組の爪２０間には一次巻線１９の端部が嵌合されている。また、基板７には各組の爪２０の下方に位置して一次巻線用スルーホール（図示せず）が形成されている。これら各一次巻線用スルーホール内には一次巻線１９の端部が挿入されており、一次巻線１９の各端部は一対の爪２０により一次巻線用スルーホール内に挿入された状態に保持されている。
【００１７】
基板７の上面には、図４に示すように、２本の一次側電源ライン２１が印刷されている。これら各一次側電源ライン２１は一次巻線用スルーホールのメッキに電気的に接続されたものであり、一次巻線１９の各端部は一次巻線用スルーホール内に半田を充填することに基づいて一次側電源ライン２１に電気的に接続されている。
【００１８】
胴部１０の外周面には、図３の（ｂ）に示すように、大鍔部１６と小鍔部１８との間，小鍔部１８と小鍔部１７との間，小鍔部１７と端板１１との間に位置して単位巻線２２が巻装されている。これら３個の単位巻線２２は１本のマグネットワイヤを胴部１０の外周面に巻き付けることに基づいて形成されたものであり、二次巻線２３を構成している。
【００１９】
大鍔部１６の下面および端板１１の下面にはピン端子２４が固定されており、二次巻線２３の各端部はピン端子２４に巻付けられることに基づいて電気的に接続されている。また、基板７には各ピン端子２４の下方に位置して二次巻線用スルーホール（図示せず）が形成されており、各ピン端子２４は二次巻線用スルーホール内に挿入されている。
【００２０】
基板７の上面には、図４に示すように、２本の二次側電源ライン２５が印刷されている。これら各二次側電源ライン２５は二次巻線用スルーホールのメッキに電気的に接続されたものであり、二次巻線２３の各端部は二次巻線用スルーホール内に半田を充填することに基づいて二次側電源ライン２５に電気的に接続されている。
【００２１】
端板１１および１２には、図３の（ｂ）に示すように、壁部２６が一体形成されている。これら各壁部２６は、図３の（ａ）および（ｃ）に示すように、胴部１０の内周面に沿う円弧部２７と前方から後方へ向うに従って上昇する一対の傾斜壁部２８とを有するものであり、端板１１の円弧部２７，胴部１０，端板１２の円弧部２７の三者には内周面に位置して左右方向へ延びる２本のリブ２９が一体形成され、胴部１０の内周面には左右方向へ延びる２本のリブ３０が一体形成されている。
【００２２】
端板１１の下端部には、図３の（ａ）に示すように、前後方向に離間する３本の爪３１が一体形成されており、後方の爪３１と中央の爪３１との間には第１のリード線３２ａの下端部が嵌合され、前方の爪３１と中央の爪３１との間には第２のリード線３２ｂの下端部が嵌合されている。このうち後方の爪３１および中央の爪３１は第１の位置決め部３１ａを構成するものであり、第１のリード線３２ａの下端部を端板１１に対して位置決めしている。また、前方の爪３１および中央の爪３１は第２の位置決め部３１ｂを構成するものであり、第２のリード線３２ｂの下端部を端板１１に対して位置決めしている。
【００２３】
第１のリード線３２ａおよび第２のリード線３２ｂは、図３の（ａ）に示すように、芯線３４の外周面を難燃性の絶縁被膜３５によって覆ったものであり、第１のリード線３２ａの上下端部および第２のリード線３２ｂの上下端部は絶縁被膜３５が剥がされ、第１のリード線３２ａの上端部および第２のリード線３２ｂの上端部には、図３の（ｂ）に示すように、雌側のコネクタ３３が電気的に接続されている。
【００２４】
基板７には、図３の（ｄ）に示すように、３本の爪３１の下方に位置して貫通孔３６が形成されている。この貫通孔３６の内周面には金属製のはとめ３７がカシメ付けされており、はとめ３７内には第１のリード線３２ａの下端部および第２のリード線３２ｂの下端部が挿入されている。このはとめ３７内には半田が充填されており、第１のリード線３２ａおよび第２のリード線３２ｂは相手側に電気的に接続されることに基づいてヒータ巻線３８を構成している。
【００２５】
端板１１には、図３の（ａ）に示すように、壁部２６の円弧部２７の外周部に位置して円弧状の壁部３９が一体形成されており、円弧部２７および壁部３９間には凹状の第２のリード線保持部４０が形成されている。また、端板１１の上端部には前方に位置して前後方向に離間する一対の爪４１が一体形成されている。これら一対の爪４１は第２のリード線保持部４１ａを構成するものであり、第２のリード線３２ｂは凹部４０内および一対の爪４１間に嵌合されることに基づいて端板１１に保持されている。
【００２６】
端板１１には壁部２６内に位置して凹部４２が形成されている。この凹部４２は第１のリード線保持部に相当するものであり、両傾斜壁部２８に対して直角な直線状をなしている。また、端板１１の各傾斜壁部２８には切欠部４３が形成されている。これら各切欠部４３は第１のリード線保持部に相当するものであり、第１のリード線３２ａは両切欠部４３内および凹部４２内に嵌合されることに基づいて端板１１に保持されている。
【００２７】
＜昇圧トランス８のボビンカバー４４について＞
ボビンカバー４４は難燃性の合成樹脂を材料に形成されたものであり、図５の（ｂ）に示すように、コ字板状の本体部４５と、本体部４５の一端部に位置するコ字状の端板部４６と、図５の（ａ）に示すように、本体部４５の他端部に位置するコ字状の端板部４７とを有している。このボビンカバー４４は、図５の（ｃ）に示すように、両端部がボビン９の傾斜壁部２８間に嵌合されることに基づいてボビン９に組付けられたものであり、図３の（ａ）の凹部４２の開口部を塞ぐことに基づいて凹部４２内から第１のリード線３２ａを抜止めしている。
【００２８】
＜昇圧トランス８のコア４８について＞
コア４８は、図６の（ｂ）に示すように、分割コア４９および分割コア５０から構成されたものであり、分割コア４９は短尺な円柱状のコア辺部５１および短尺な角柱状のコア辺部５２間を角柱状のコア端部５３により連結した略Ｕ字状をなし、分割コア４９の外周部にはコア辺部５２およびコア端部５３間をＬ字状に繋ぐ凹部５４が形成されている。
【００２９】
分割コア５０は長尺な円柱状のコア辺部５５および長尺な角柱状のコア辺部５６間を角柱状のコア端部５７により連結した略Ｕ字状をなすものであり、分割コア５０の外周部にはコア辺部５６およびコア端部５７間をＬ字状に繋ぐ凹部５８が形成されている。
【００３０】
分割コア４９の下方のコア辺部５１は、図６の（ａ）に示すように、ボビン９の胴部１０の内周面に嵌合され、２本のリブ２９および２本のリブ３０に接触することに基づいて胴部１０の中央部に位置決めされている。また、分割コア４９の上方のコア辺部５２は、図６の（ｃ）に示すように、ボビンカバー４４内に嵌合され、コア端部５３は、図６の（ａ）に示すように、ボビン９の傾斜壁部２８間に嵌合されており、分割コア４９はコア端部５３が前方から後方へ向うに従って基板７の上面から遠ざかるように傾斜配置されている。
【００３１】
分割コア５０の下方のコア辺部５５はボビン９の胴部１０の内周面に嵌合され、２本のリブ２９および２本のリブ３０に接触することに基づいて胴部１０の中央部に位置決めされている。また、分割コア５０の上方のコア辺部５６は、図６の（ｂ）に示すように、ボビンカバー４４内に嵌合され、コア端部５７はボビン９の傾斜壁部２８間に嵌合されており、分割コア５０は、図６の（ａ）に示すように、コア端部５７が前方から後方へ向うに従って基板７の上面から遠ざかるように傾斜配置されている。尚、コア端部５３および５７の傾斜角度は４５°程度に設定されている。
【００３２】
一次巻線１９および二次巻線２３は、図６の（ｂ）に示すように、下方のコア辺部５１および５５の外周部に巻装された形態になっている。また、コイル巻線３８の第１のリード線３２ａはコア４８の内部に挿入されることに基づいてコア４８の磁路を貫通し、コイル巻線３８の第２のリード線３２ｂはコア４８の外部に配置されている。
【００３３】
尚、ボビンカバー４４には、図５に示すように、仕切板４４ａおよび４４ｂが一体形成されており、仕切板４４ａおよび４４ｂは、図６の（ｂ）に示すように、分割コア４９のコイル辺部５２と分割コア５０のコイル辺部５６との間で挟持されることに基づいてコイル辺部５２と５６との間，コイル辺部５１と５５との間にエアギャップを形成している。
【００３４】
＜昇圧トランス８のコアバンド５９について＞
コアバンド５９は、図７の（ｂ）に二点鎖線で示すように、断面円形状の金属棒を略コ字状に折曲げることに基づいて形成されたものであり、コアバンド５９には略三角形状をなす２個の突部６０が一体形成されている。尚、コアバンド５９はコア保持部材に相当するものである。
【００３５】
コアバンド５９は、図７の（ａ）に示すように、分割コア４９の凹部５４内および分割コア５０の凹部５８内に嵌合されている。そして、一方の突部６０は分割コア４９の凹部５４の底面により押圧され、他方の突部６０は分割コア５０の凹部５８の底面により押圧されており、コアバンド５９は、図７の（ｂ）に実線で示すように、各突部６０に作用する押圧力でコ字状に拡がり、分割コア４９および５０を相手側に押付けるように復元力を発揮することに基づいて分割コア４９および５０をボビン９に保持している。
【００３６】
コアバンド５９には、図７の（ａ）に示すように、接続部６１が一体形成されている。この接続部６１はコアバンド５９に対して傾斜し且つ基板７に対して垂直な棒状をなすものであり、図６の（ｂ）および図７の（ｂ）に示すように、コアバンド５９のうち一次巻線１９が存在する分割コア５０側に位置している。また、基板７には接続部６１の下方に位置してバンド用スルーホール（図示せず）が形成されており、接続部６１の下端部は、図７の（ａ）に示すように、バンド用スルーホール内に挿入されている。
【００３７】
基板７の上面には、図４に示すように、アースライン６２が印刷されており、アースライン６２はキャビネット１に電気的に接続されている。このアースライン６２はバンド用スルーホールのメッキに電気的に接続されたものであり、コアバンド５９の接続部６１はバンド用スルーホール内に半田を充填することに基づいてキャビネット１にアース接続されている。昇圧トランス８は以上のように構成されている。
【００３８】
商用交流電源６３の両端子間には、図４に示すように、コンデンサ６４が接続されている。このコンデンサ６４は、図８に示すように、基板７の前端部に搭載されたものであり、基板７にはコンデンサ６４の左側部に位置してダイオードブリッジ回路６５が搭載されている。このダイオードブリッジ回路６５は４個のダイオード（図示せず）をブリッジ接続してなるものであり、ダイオードブリッジ回路６５の両入力端子は、図４に示すように、商用交流電源６３に接続され、ダイオードブリッジ回路６５の両出力端子は基板７の両一次側電源ライン２１に電気的に接続されている。尚、図８の符号６６はダイオードブリッジ回路６５に機械的に接続された放熱フィンを示すものである。
【００３９】
基板７には、図８に示すように、ダイオードブリッジ回路６５の後方に位置してリアクター６７および平滑コンデンサ６８が搭載されている。これらリアクター６７および平滑コンデンサ６８は、図４に示すように、ダイオードブリッジ回路６５と共に整流回路６９を構成するものであり、リアクター６７は基板７の一方の一次側電源ライン２１に介在され、平滑コンデンサ６８は両一次側電源ライン２１間に接続されている。
【００４０】
一方の一次側電源ライン２１にはスイッチング素子に相当するＩＧＢＴ７０が介在されており、ＩＧＢＴ７０のコレクタ端子Ｃおよびエミッタ端子Ｅ間にはフライホイールダイオード７１が逆並列に接続されている。これらＩＧＢＴ７０およびフライホイールダイオード７１はインバータ回路７２を構成するものであり、インバータ回路７２は、図８に示すように、基板７の前後方向中央部に搭載されている。尚、図８の符号７３はインバータ回路７２に機械的に接続された放熱フィンを示すものである。
【００４１】
基板７にはインバータ回路７２の右側部に位置して共振コンデンサ７４が搭載されている。この共振コンデンサ７４は、図４に示すように、昇圧トランス８の一次巻線１９と共に共振回路７５を構成するものであり、基板７の両一次側電源ライン２１間に一次巻線１９に対して並列に接続されている。
【００４２】
内箱２の右側壁には、図８に示すように、前端部に位置して励振口７６が設けられており、内箱２の右側壁には機械室５内に位置して励振口７６を囲う導波管７７が固定されている。この導波管７７にはマグネトロン７８が固定されており、マグネトロン７８の陽極端子は、図４に示すように、キャビネット１にアース接続されている。また、マグネトロン７８の両陰極端子には、図８に示すように、タブ端子７９が電気的に接続されており、ヒータ巻線３８（第１のリード線３２ａおよび第２のリード線３２ｂ）はコネクタ３３をタブ端子７９に嵌合することに基づいてマグネトロン７８の陰極端子に電気的に接続されている。
【００４３】
第１のリード線３２ａには、図４に示すように、高圧ダイオード８０のアノード端子Ａが接続されており、高圧ダイオード８０のカソード端子Ｋは基板７のアースライン６２を介してキャビネット１にアース接続されている。この高圧ダイード８０は、図８に示すように、基板７のうち昇圧トランス８のコア４８の下方に搭載されたものであり、一方の二次側電源ライン２５は、図４に示すように、高圧ダイオード８０のアノード端子Ａに接続され、他方の二次側電源ライン２５は高圧ダイオード８０のカソード端子Ｋに接続されている。
【００４４】
基板７の一方の二次側電源ライン２５には高圧コンデンサ８１が介在されており、高圧コンデサ８１には高圧抵抗８２が並列に接続されている。これら高圧コンデンサ８１および高圧抵抗８２は高圧ダイオード８０と共に倍電圧整流回路８３を構成するものであり、図８に示すように、基板７のうち昇圧トランス８のコア４８の下方に搭載されている（高圧抵抗８２の搭載状態は図示していない）。尚、高圧ダイオード８０，高圧コンデンサ８１，高圧抵抗８２は高圧回路部品に相当するものである。また、倍電圧整流回路８３は高圧回路に相当するものである。
【００４５】
次にマグネトロン７８の発振動作について説明する。ＩＧＢＴ７０がオンされると、平滑コンデンサ６８→昇圧トランス８の一次巻線１９→ＩＧＢＴ７０→平滑コンデンサ６８の経路で電流Ｉａが流れる。この状態でＩＧＢＴ７０がオフされると、一次巻線１９から共振コンデンサ７４を通って電流が流れることに基づいて共振コンデンサ７４が充電され、共振コンデンサ７４が放電することに基づいて一次巻線１９に逆方向の電流Ｉｂが流れる。
【００４６】
昇圧トランス８の一次巻線１９に電流ＩａおよびＩｂが流れると、昇圧トランス８のヒータ巻線３８が所定周波数の交流電力を生起し、マグネトロン７８の陰極に与える。このマグネトロン７８の陰極はヒータを兼用するものであり、ヒータ巻線３８から交流電源が与えられることに基づいて暖められる。これと共に、昇圧トランス８の二次巻線２３が所定周波数の交流電力を生起し、倍電圧整流回路８３を通してマグネトロン７８に与える。すると、マグネトロン７８が発振し、マグネトロン７８から導波管７７および励振口７６を通して調理室３内にマイクロ波が照射される。
【００４７】
機械室５内には、図８に示すように、昇圧トランス８の後方に位置してファン装置８４が配設されている。このファン装置８４はファンモータ８５の回転軸８６に遠心形のファン８７を直結してなるものであり、ファンモータ８５の作動に基づいてファン８７が回転すると、ファン８７からマグネトロン７８および昇圧トランス８に向かって冷却風が吐出される。
【００４８】
昇圧トランス８に送風された冷却風の一部はコア４８に案内されることに下方の高圧ダイオード８０，高圧コンデンサ８１，高圧抵抗８２に吹付けられ、基板７の上面に沿って前方へ流れる。また、残りの冷却風は昇圧トランス８の上方へ回り込み、インバータ回路７２の放熱フィン７３およびダイードブリッジ回路６５の放熱フィン６６等を経由して前方へ流れる。尚、図１の矢印は冷却風の流れを示すものである。
【００４９】
上記第１実施例によれば、第１のリード線３２ａの下端部および第２のリード線３２ｂの下端部を基板７を介して相手側に電気的に接続し、第１のリード線３２ａを昇圧トランス８のコア４８の磁路を貫通するように配置することに基づいて昇圧トランス８のヒータ巻線３８を第１のリード線３２ａおよび第２のリード線３２ｂから構成した。このため、ボビン９にヒータ巻線３８用の巻装部が不要になり、ボビン９が小形化されるので、昇圧トランス８が小さくなる。
【００５０】
また、昇圧トランス８のボビン９に第１のリード線３２ａを保持する凹部４２および切欠部４３，第２のリード線３２ｂを保持する第２のリード線保持部４０および４１ａを設けた。このため、第１のリード線３２ａおよび第２のリード線３２ｂをボビン９と共に取り扱うことができるので、第１のリード線３２ａおよび第２のリード線３２ｂの取扱いが容易になる。
【００５１】
また、昇圧トランス８のボビン９に第１のリード線３２ａの下端部を位置決めする第１の位置決め部３１ａおよび第２のリード線３２ｂの下端部を位置決めする第２の位置決め部３１ｂを設けたので、昇圧トランス８を基板７に搭載することに基づいて第１のリード線３２ａの下端部および第２のリード線３２ｂの下端部を基板７のはとめ３７内に挿入できる。このため、第１のリード線３２ａの下端部および第２のリード線３２ｂの下端部を独自に位置決めする手間が不要になるので、第１のリード線３２ａの下端部および第２のリード線３２ｂの下端部を基板７を介して容易に接続できる。
【００５２】
また、第１のリード線３２ａの下端部および第２のリード線３２ｂの下端部を基板７の同一の貫通孔３６内に挿入したので、基板に第１のリード線３２ａの下端部が挿入される貫通孔および第２のリード線３２ｂの下端部が挿入される貫通孔を個別に設ける必要がなくなる。
【００５３】
また、貫通孔３６のはとめ３７内に半田を充填したので、第１のリード線３２ａの下端部および第２のリード線３２ｂの下端部が相手側に確実に接続される。しかも、はとめ３７が１個で済むので、はとめ３７の材料費および組付費用が少なくて済む。
【００５４】
次に本発明の第２実施例を図９に基づいて説明する。昇圧トランス８のボビン９には３個の爪３１に換えて突状の第１の位置決め部８８および第２の位置決め部８９が一体形成されており、第１の位置決め部８８および第２の位置決め部８９には円形状の貫通孔９０が形成されている。これら第１の位置決め部８８の貫通孔９０内および第２の位置決め部８９の貫通孔９０内には第１のリード線３２ａの芯線３４および第２のリード線３２ｂの芯線３４が挿入されており、第１のリード線３２ａの芯線３４および第２のリード線３２ｂの芯線３４は貫通孔９０の内周面によりボビン９に対して位置決めされている。
【００５５】
上記第２実施例によれば、第１のリード線３２ａの芯線３４および第２のリード線３２ｂの芯線３４を第１の位置決め部８８の貫通孔９０内および第２の位置決め部８９の貫通孔９０内に挿入したので、昇圧トランス８を基板７に搭載することに基づいて第１のリード線３２ａの下端部および第２のリード線３２ｂの下端部のうち芯線３４をはとめ３７内に確実に挿入できる。
【００５６】
次に本発明の第３実施例を図１０に基づいて説明する。昇圧トランス８のボビン９には小鍔部１７に換えて大鍔部９１が一体形成されており、第１のリード線３２ａはボビン９の端板１１と大鍔部９１とコア４８との間で保持されている。上記第３実施例によれば、第１のリード線３２ａをボビン９とコア４８との間で保持した。このため、第１リード線３２ａを保持する凹部４２および切欠部４３をボビン９に形成する必要がなくなるので、ボビン９の形状が簡単になり、ボビン９を成形する成形型の形状が簡素になる。
【００５７】
尚、上記第１ないし第３実施例においては、基板７に第１のスルーホールおよび第２のスルーホールを設け、第１のスルーホールのメッキおよび第２のスルーホールのメッキを基板７のパターンを介して電気的に接続しても良い。この場合、第１のリード線３２ａの下端部および第２のリード線３２ｂの下端部を第１のスルーホール内および第２のスルーホール内に挿入し、第１のスルーホール内および第２のスルーホール内に半田を充填することに基づいて第１のリード線３２ａの下端部および第２のリード線３２ｂの下端部を相手側に電気的に接続すると良い。
【００５８】
また、上記第１ないし第３実施例においては、基板７を水平に配設したが、これに限定されるものではなく、例えば前方から後方へ向かうに従って上昇または下降する傾斜状に配設しても良い。
また、上記第１ないし第３実施例においては、ファン装置８４を昇圧トランス８の後方に配設したが、これに限定されるものではなく、例えば昇圧トランス８の上方に配設しても良い。この場合、ファン装置８４から下方へ吐出される冷却風をダクト等によって昇圧トランス８の後方に導き、昇圧トランス８の後方から前方へ送風すると良い。
【００５９】
【発明の効果】
以上の説明から明らかなように、本発明の電子レンジは次の効果を奏する。
請求項１記載の手段によれば、昇圧トランスのヒータ巻線を第１のリード線および第２のリード線から構成したので、ボビンの小形化に伴って昇圧トランスが小さくなる。
請求項２記載の手段によれば、第１のリード線および第２のリード線を保持する第１のリード線保持部および第２のリード線保持部を昇圧トランスのボビンに設けたので、第１のリード線および第２のリード線の取扱いが容易になる。
【００６０】
請求項３記載の手段によれば、第１のリード線の一端部および第２のリード線の一端部を位置決めする第１の位置決め部および第２の位置決め部を昇圧トランスのボビンに設けたので、第１のリード線の一端部および第２のリード線の一端部を独自に位置決めする手間が不要になる。
請求項４記載の手段によれば、第１のリード線の芯線および第２のリード線の芯線を第１の位置決め部の貫通孔内および第２の位置決め部の貫通孔内に挿入したので、第１のリード線の一端部および第２のリード線の一端部のうち芯線を基板の設定位置に確実にセットできる。
【００６１】
請求項５記載の手段によれば、昇圧トランスのコアとボビンとの間で第１のリード線を保持したので、ボビンの形状が簡単で済む。
請求項６記載の手段によれば、第１のリード線の一端部および第２のリード線の一端部を基板の同一の貫通孔内に挿入したので、基板に２個の貫通孔を設ける必要がなくなる。
請求項７記載の手段によれば、基板のはとめ内に半田を充填したので、第１のリード線の一端部および第２のリード線の一端部が相手側に確実に接続される。しかも、はとめが１個で済むので、はとめの材料費および組付費用が少なくて済む。
【図面の簡単な説明】
【図１】本発明の第１実施例を示す図（ａは昇圧トランスを示すＸａ視図、ｂは後面図、ｃはＸｃ視図）
【図２】電子レンジの外観を示す斜視図
【図３】ボビンを示す図（ａはＸａ視図、ｂは後面図、ｃはＸｃ視図、ｄはＸｄ部を示す図）
【図４】マグネトロン駆動回路を示す図
【図５】ボビンカバーを示す図（ａは右側面図、ｂはＸｂ視図、ｃはＸｃ視図）
【図６】コアを示す図（ａは右側面図、ｂはＸｂ視図、ｃはＸｃ視図）
【図７】コアバンドを示す図（ａは右側面図、ｂはＸｂ視図、ｃはＸｃ視図）
【図８】図２のＸ8 線に沿う断面図
【図９】本発明の第２実施例を示す図（ａはボビンの下端部を示す右側面図、ｂはＸｂ線に沿う断面図）
【図１０】本発明の第３実施例を示す図（ヒータ巻線の保持状態を示す図）
【図１１】従来例を示す図
【符号の説明】
７は基板、８は昇圧トランス、９はボビン、１９は一次巻線、２３は二次巻線、３１ａは第１の位置決め部、３１ｂは第２の位置決め部、３２ａは第１のリード線、３２ｂは第２のリード線、３４は芯線、３６は貫通孔、３７ははとめ、３８はヒータ巻線、４０は第２のリード線保持部、４１は第２のリード線保持部、４２は凹部（第１のリード線保持部）、４３は切欠部（第１のリード線保持部）、４８はコア、７８はマグネトロン、８８は第１の位置決め部、８９は第２の位置決め部、９０は貫通孔を示す。
【図１】
0003677172.tif 000002
【図２】
0003677172.tif 000003
【図３】
0003677172.tif 000004
【図４】
0003677172.tif 000005
【図５】
0003677172.tif 000006
【図６】
0003677172.tif 000007
【図７】
0003677172.tif 000008
【図８】
0003677172.tif 000009
【図９】
0003677172.tif 000010
【図１０】
0003677172.tif 000011
【図１１】
0003677172.tif 000012